(57)【要約】【課題】被招待者のメールアドレスを招待者に教える必要がなく、冗長な操作が不要で、メンバー登録処理を遅延なく実行できるコミュニティメンバー登録方法、コミュニティサービスシステム、携帯端末及びメンバー招待処理プログラムを提供する。【解決手段】コミュニティサービスサーバ３０と、メンバーであるか否かを判断する認証・認可サーバ２０と、端末間でダイレクトに通信可能な複数の携帯端末１０とがネットワーク４０を介して接続されたコミュニティサービスシステムにおいて、招待者の携帯端末１０が、被招待者の携帯端末１０から取得した端末識別子を登録要求とともに認証・認可サーバ２０へ送信し、認証・認可サーバ２０において登録要求に応じてアカウントを発行し、認証・認可サーバ２０がアカウントを招待者の携帯端末１０に通知し、招待者の携帯端末１０から被招待者の携帯端末１０へアカウント送信する。【選択図】図１
2010146452.tif 000002
【特許請求の範囲】
【請求項１】
コミュニティサービスを提供するコミュニティサービスサーバと、該コミュニティサービスサーバが提供するサービスを享受する権限を有するメンバーであるか否かを判断する認証サーバと、端末間でダイレクトに通信可能な複数の携帯端末とがネットワークを介して接続されたコミュニティサービスシステムにおいて、前記メンバーを登録する方法であって、
招待者の携帯端末が、被招待者の携帯端末から取得した端末識別子を登録要求とともに前記認証サーバへ送信し、
前記認証サーバにおいて、前記登録要求に応じてアカウントを発行し、
前記認証サーバが、前記アカウントを前記招待者の携帯端末に通知し、
前記アカウントを前記招待者の携帯端末から前記被招待者の携帯端末へ送信することを特徴とするコミュニティメンバー登録方法。
【請求項２】
前記招待者の携帯端末が、被招待者の携帯端末の端末識別子を、携帯端末同士のダイレクトな通信によって取得する工程と、
前記招待者の携帯端末の端末識別子又は前記招待者のアカウントと前記被招待者の携帯端末の端末識別子とを、登録要求とともに、前記ネットワークを介して前記招待者の携帯端末から前記認証サーバへ送信する工程と、
前記認証サーバにおいて、前記招待者の携帯端末の端末識別子又は前記招待者のアカウントに基づいて、前記招待者が前記メンバーであるか否かを確認する工程と、
前記認証サーバが、前記メンバーの携帯端末からの登録要求に応じてアカウントを発行し、該登録要求とともに受信した前記被招待者の携帯端末の端末識別子と関連付けて登録する工程と、
前記認証サーバが、前記被招待者の携帯端末の端末識別子と関連付けたアカウントを、前記招待者の携帯端末に通知する工程と、
前記招待者の携帯端末が、前記認証サーバから通知されたアカウントを携帯端末同士のダイレクトな通信によって前記被招待者の携帯端末に送信する工程とを有することを特徴とする請求項１記載のコミュニティメンバー登録方法。
【請求項３】
コミュニティサービスを提供するコミュニティサービスサーバと、該コミュニティサービスサーバが提供するサービスを享受する権限を有するメンバーであるか否かを判断する認証サーバと、端末間でダイレクトに通信可能な複数の携帯端末とがネットワークを介して接続されたコミュニティサービスシステムにおいて、前記メンバーを登録する方法であって、
招待者の携帯端末が、被招待者の携帯端末から取得した端末識別子を登録要求とともに前記認証サーバへ送信し、
前記認証サーバにおいて、前記登録要求に応じてアカウントを発行し、
前記認証サーバが、前記アカウントを前記被招待者の携帯端末に通知することを特徴とするコミュニティメンバー登録方法。
【請求項４】
前記招待者の携帯端末が、被招待者の携帯端末の端末識別子及び前記被招待者の携帯端末のメールアドレスを、携帯端末同士のダイレクトな通信によって取得する工程と、
前記招待者の携帯端末の端末識別子又は前記招待者のアカウントと前記被招待者の携帯端末の端末識別子及び前記被招待者の携帯端末のメールアドレスとを、登録要求とともに、前記ネットワークを介して前記招待者の携帯端末から前記認証サーバへ送信する工程と、
前記認証サーバにおいて、前記招待者の携帯端末の端末識別子又は前記招待者のアカウントに基づいて、前記招待者が前記メンバーであるか否かを確認する工程と、
前記認証サーバが、前記メンバーの携帯端末からの登録要求に応じてアカウントを発行し、該登録要求とともに受信した前記被招待者の携帯端末の端末識別子と関連付けて登録する工程と、
前記認証サーバが、前記被招待者の携帯端末の端末識別子と関連付けたアカウントを含む電子メールを、前記被招待者の携帯端末のメールアドレスに宛てに送信する工程とを有することを特徴とする請求項３記載のコミュニティメンバー登録方法。
【請求項５】
被招待者をコミュニティサービスに招待する権限を有するか否かを示す認証権限情報を、端末識別子及びアカウントとともに認証サーバに登録しておき、
前記アカウントを発行し、前記登録要求とともに受信した前記被招待者の携帯端末の端末識別子と関連付けて登録するか否かを、前記認証権限情報に基づいて前記認証サーバが判断することを特徴とする請求項２又は４記載のコミュニティメンバー登録方法。
【請求項６】
前記登録要求とともに、前記被招待者に前記招待権限を付与するか否かを示す情報を前記招待者の携帯端末から前記認証サーバへ送信し、その情報に基づいて前記認証権限情報を前記認証サーバへ登録することを特徴とする請求項５記載のコミュニティメンバー登録方法。
【請求項７】
コミュニティサービスを提供するコミュニティサービスサーバと、該コミュニティサービスサーバが提供するサービスを享受する権限を有するメンバーであるか否かを判断する認証サーバと、複数の携帯端末とがネットワークを介して接続されたコミュニティサービスシステムであって、
前記携帯端末の各々は、
端末間でダイレクトに通信する通信手段と、
他の携帯端末の端末識別子を、前記通信手段によって取得する手段と、
自端末の端末識別子又は前記ユーザのアカウントと前記他の携帯端末の端末識別子とを、登録要求とともに、前記ネットワークを介して前記認証サーバへ送信する手段と、
前記認証サーバから通知されたアカウントを、前記通信手段によって前記他の携帯端末へ送信する手段とを有し、
前記認証サーバは、
前記携帯端末の端末識別子又は前記ユーザのアカウントに基づいて、前記登録要求の送信元の携帯端末のユーザが前記メンバーであるか否かを確認する手段と、
前記メンバーの携帯端末からの登録要求に応じてアカウントを発行し、該登録要求とともに受信した前記他の携帯端末の端末識別子と関連付けて登録する手段と、
前記他の携帯端末の端末識別子と関連付けたアカウントを、前記登録要求の送信元の携帯端末に通知する手段とを有することを特徴とするコミュニティサービスシステム。
【請求項８】
コミュニティサービスを提供するコミュニティサービスサーバと、該コミュニティサービスサーバが提供するサービスを享受する権限を有するメンバーであるか否かを判断する認証サーバと、複数の携帯端末とがネットワークを介して接続されたコミュニティサービスシステムであって、
前記携帯端末の各々は、
端末間でダイレクトに通信する通信手段と、
他の携帯端末の端末識別子及びメールアドレスを、前記通信手段によって取得する手段と、
自端末の端末識別子又は前記ユーザのアカウントと前記他の携帯端末の端末識別子及びメールアドレスとを、登録要求とともに、前記ネットワークを介して前記認証サーバへ送信する手段とを有し、
前記認証サーバは、
前記携帯端末の端末識別子又は前記ユーザのアカウントに基づいて、前記登録要求の送信元の携帯端末のユーザが前記メンバーであるか否かを確認する手段と、
前記メンバーの携帯端末からの登録要求に応じてアカウントを発行し、該登録要求とともに受信した前記他の携帯端末の端末識別子と関連付けて登録する手段と、
前記他の携帯端末の端末識別子と関連付けたアカウントを含む電子メールを、前記他の携帯端末のメールアドレス宛に送信する手段とを有することを特徴とするコミュニティサービスシステム。
【請求項９】
コミュニティサービスを提供するコミュニティサービスサーバと、該コミュニティサービスサーバが提供するサービスを享受する権限を有するメンバーであるか否かを判断する認証サーバとにネットワークを介して接続される携帯端末であって、
他の携帯端末との間でダイレクトに通信する通信手段と、
他の携帯端末の端末識別子を、前記通信手段によって取得する手段と、
自端末の端末識別子又は前記ユーザのアカウントと前記他の携帯端末の端末識別子とを、登録要求とともに、前記ネットワークを介して前記認証サーバへ送信する手段と、
前記認証サーバから通知されたアカウントを、前記通信手段によって前記他の携帯端末へ送信する手段とを有することを特徴とする携帯端末。
【請求項１０】
コミュニティサービスを提供するコミュニティサービスサーバと、該コミュニティサービスサーバが提供するサービスを享受する権限を有するメンバーであるか否かを判断する認証サーバとにネットワークを介して接続される携帯端末であって、
他の携帯端末との間でダイレクトに通信する通信手段と、
他の携帯端末の端末識別子及びメールアドレスを、前記通信手段によって取得する手段と、
自端末の端末識別子又は前記ユーザのアカウントと前記他の携帯端末の端末識別子及びメールアドレスとを、登録要求とともに、前記ネットワークを介して前記認証サーバへ送信する手段とを有することを特徴とする携帯端末。
【請求項１１】
コミュニティサービスを提供するコミュニティサービスサーバと、該コミュニティサービスサーバが提供するサービスを享受する権限を有するメンバーであるか否かを判断する認証サーバとにネットワークを介して接続され、他の携帯端末とダイレクトに通信する手段を備えた携帯端末に、コミュニティメンバーを招待する処理を実行させるプログラムであって、
前記携帯端末を制御するコンピュータに、
他の携帯端末との間でダイレクトに通信して、該他の携帯端末の端末識別子を取得する処理と、
自端末の端末識別子又は前記ユーザのアカウントと前記他の携帯端末の端末識別子とを、登録要求とともに、前記ネットワークを介して前記認証サーバへ送信する処理と、
前記認証サーバから通知されたアカウントを、前記通信手段によって前記他の携帯端末へ送信する処理とを実行させることを特徴とするコミュニティメンバー招待プログラム。
【請求項１２】
コミュニティサービスを提供するコミュニティサービスサーバと、該コミュニティサービスサーバが提供するサービスを享受する権限を有するメンバーであるか否かを判断する認証サーバとにネットワークを介して接続され、他の携帯端末とダイレクトに通信する手段を備えた携帯端末に、コミュニティメンバーを招待する処理を実行させるプログラムであって、
前記携帯端末を制御するコンピュータに、
他の携帯端末との間でダイレクトに通信して、他の携帯端末の端末識別子及びメールアドレスを取得する処理と、
自端末の端末識別子又は前記ユーザのアカウントと前記他の携帯端末の端末識別子及びメールアドレスとを、登録要求とともに、前記ネットワークを介して前記認証サーバへ送信する処理とを実行させることを特徴とするコミュニティメンバー招待プログラム。
【発明の詳細な説明】
【技術分野】
【０００１】
本発明は、ネットワーク上で提供される会員サービスにメンバー登録を行うためのシステムに関し、特に、リアルタイムで登録できるシステムに関する。
【背景技術】
【０００２】
近年、インターネット等のネットワーク上において「コミュニティ」などと呼ばれる会員向けのサイトを開設することが普及している。なお、本明細書における「コミュニティ」とは、ＳＮＳ（Social Network Service）やブログなどの特定のサービスサイトに限定されることはなく、会員向けサービスサイト全般を指す。このようなコミュニティには、非登録者でも一部の機能を利用できるものや、全ての機能の利用を会員に限定したものなど種々のものがある。
【０００３】
コミュニティの多くは招待制を採用しており、コミュニティの開設者又は会員による招待を受けた者のみが会員登録が可能となっている。
【０００４】
図１１に、このようなコミュニティへの会員登録シーケンスの一例を示す。
招待者が、コミュニティへログインし、コミュニティサイトに設けられている招待機能を用いて、被招待者の電子メールアドレスに対して招待状を送信する操作を行う。この操作が行われると、コミュニティサービスサーバはから被招待者の電子メールアドレス宛に招待状が送信される。被招待者は、招待状を参照し、それに記載されている会員登録用ＵＲＬにアクセスし、会員登録手続を行う。会員登録手続が完了した後は、被招待者は登録済みの会員として自由にコミュニティを利用可能となる。
【０００５】
このような手順によるコミュニティへの会員登録に関連する技術は、特許文献１に開示されている。
【特許文献１】特開２００６−３３０７９８号公報
【発明の開示】
【発明が解決しようとする課題】
【０００６】
上記の会員登録シーケンスにおいては、招待者がコミュニティサイトの機能を利用して被招待者の電子メールアドレスに対して招待状を送信するため、被招待者者は何らかの方法で自身の電子メールアドレスを招待者に教える必要がある。
【０００７】
しかし、自身の電子メールアドレスを他人に教えることには心理的な抵抗を伴う場合があり、コミュニティへの参加をためらう一因となりうる。
【０００８】
被招待者がフリーメールを使用すればこのような心理的な抵抗は軽減されるが、上記の会員登録シーケンスには、被招待者が招待状の電子メールを参照して、会員登録用ＵＲＬにアクセスして行う処理も含まれている。フリーメールの中には携帯端末からでは利用ができないものもあるし、携帯端末から利用可能であっても事前に登録手続を必要とし、未登録の場合には使用できないものもある。このため、フリーメール宛てに招待状を送信する場合には、被招待者がコンピュータ端末を操作可能な環境にないと、コミュニティへの登録を即座に完了できないことがある。
【０００９】
また、通常は、招待状を送る相手は面識のある者であるため、招待者が招待状を送る時点で、被招待者がコミュニティへ参加することで当事者同士が合意していることも少なくない。このような場合には、当事者同士で合意が得られているにもかかわらず、ネットワーク上において同様の操作（招待状を送信する操作、会員登録用ＵＲＬにアクセスする操作）を行わねばならず、二度手間が強いられることとなる。
【００１０】
このように特許文献１に開示されるような方法では、コミュニティへの登録を即座に完了できなかったり、招待者及び被招待者に対して冗長な操作を強いるという問題があった。
【００１１】
本発明は係る問題に鑑みてなされたものであり、被招待者の電子メールアドレスを招待者に教える必要がなく、招待者及び被招待者に冗長な操作を強いることなく、メンバー登録処理を遅延なく実行できるコミュニティメンバー登録方法、コミュニティサービスシステム、携帯端末及びメンバー招待処理プログラムを提供することを目的とする。
【課題を解決するための手段】
【００１２】
上記目的を達成するため、本発明は、第１の態様として、コミュニティサービスを提供するコミュニティサービスサーバと、該コミュニティサービスサーバが提供するサービスを享受する権限を有するメンバーであるか否かを判断する認証サーバと、端末間でダイレクトに通信可能な複数の携帯端末とがネットワークを介して接続されたコミュニティサービスシステムにおいて、メンバーを登録する方法であって、招待者の携帯端末が、被招待者の携帯端末から取得した端末識別子を登録要求とともに認証サーバへ送信し、認証サーバにおいて、登録要求に応じてアカウントを発行し、認証サーバが、アカウントを招待者の携帯端末に通知し、アカウントを招待者の携帯端末から被招待者の携帯端末へ送信することを特徴とするコミュニティメンバー登録方法を提供するものである。
【００１３】
また、上記目的を達成するため、本発明は、第２の態様として、コミュニティサービスを提供するコミュニティサービスサーバと、該コミュニティサービスサーバが提供するサービスを享受する権限を有するメンバーであるか否かを判断する認証サーバと、複数の携帯端末とがネットワークを介して接続されたコミュニティサービスシステムであって、携帯端末の各々は、端末間でダイレクトに通信する通信手段と、他の携帯端末の端末識別子を、通信手段によって取得する手段と、自端末の端末識別子又はユーザのアカウントと他の携帯端末の端末識別子とを、登録要求とともに、ネットワークを介して認証サーバへ送信する手段と、認証サーバから通知されたアカウントを、通信手段によって他の携帯端末へ送信する手段とを有し、認証サーバは、携帯端末の端末識別子又はユーザのアカウントに基づいて、登録要求の送信元の携帯端末のユーザがメンバーであるか否かを確認する手段と、メンバーの携帯端末からの登録要求に応じてアカウントを発行し、該登録要求とともに受信した他の携帯端末の端末識別子と関連付けて登録する手段と、他の携帯端末の端末識別子と関連付けたアカウントを、登録要求の送信元の携帯端末に通知する手段とを有することを特徴とするコミュニティサービスシステムを提供するものである。
【００１４】
また、上記目的を達成するため、本発明は、第３の態様として、コミュニティサービスを提供するコミュニティサービスサーバと、該コミュニティサービスサーバが提供するサービスを享受する権限を有するメンバーであるか否かを判断する認証サーバとにネットワークを介して接続される携帯端末であって、他の携帯端末との間でダイレクトに通信する通信手段と、他の携帯端末の端末識別子を、通信手段によって取得する手段と、自端末の端末識別子又はユーザのアカウントと他の携帯端末の端末識別子とを、登録要求とともに、ネットワークを介して認証サーバへ送信する手段と、認証サーバから通知されたアカウントを、通信手段によって他の携帯端末へ送信する手段とを有することを特徴とする携帯端末を提供するものである。
【００１５】
また、上記目的を達成するため、本発明は、第４の態様として、コミュニティサービスを提供するコミュニティサービスサーバと、該コミュニティサービスサーバが提供するサービスを享受する権限を有するメンバーであるか否かを判断する認証サーバとにネットワークを介して接続され、他の携帯端末とダイレクトに通信する手段を備えた携帯端末に、コミュニティメンバーを招待する処理を実行させるプログラムであって、携帯端末を制御するコンピュータに、他の携帯端末との間でダイレクトに通信して、該他の携帯端末の端末識別子を取得する処理と、自端末の端末識別子又はユーザのアカウントと他の携帯端末の端末識別子とを、登録要求とともに、ネットワークを介して認証サーバへ送信する処理と、認証サーバから通知されたアカウントを、通信手段によって他の携帯端末へ送信する処理とを実行させることを特徴とするコミュニティメンバー招待プログラムを提供するものである。
【発明の効果】
【００１６】
本発明によれは、被招待者の電子メールアドレスを招待者に教える必要がなく、招待者及び被招待者に冗長な操作を強いることなく、メンバー登録処理を遅延なく実行できるコミュニティメンバー登録方法、コミュニティサービスシステム、携帯端末及びメンバー招待処理プログラムを提供できる。
【発明を実施するための最良の形態】
【００１７】
〔第１の実施形態〕
本発明を好適に実施した第１の実施形態について説明する。
図１に、コミュニティサービスシステムの構成を示す。このシステムは、携帯端末１０ａ及び１０ｂ、認証・認可サーバ２０、並びにコミュニティサービスサーバ３０がネットワーク４０を介して接続された構成である。なお、ここでは携帯端末１０ａ、１０ｂは同様の構成であるものとし、これらを区別する必要がある場合にのみａ、ｂの添え字を付すものとする。
【００１８】
携帯端末１０は、端末間でダイレクトに通信するための端末間通信部３と、他の携帯端末の端末識別子を、端末間通信部３によって取得し、自端末の端末識別子又はユーザのアカウントと他の携帯端末の端末識別子とを、登録要求とともに、ネットワーク通信部２からネットワーク４０を介して認証・認可サーバ２０へ送信し、認証・認可サーバ２０から通知されたアカウントを、端末間通信部３によって他の携帯端末へ送信する招待処理部１とを有する。
認証・認可サーバ２０は、携帯端末１０の端末識別子又はユーザのアカウントに基づいて、登録要求の送信元の携帯端末のユーザがメンバーであるか否かを確認する認証部５と、メンバーの携帯端末からの登録要求に応じてアカウントを発行し、該登録要求とともに受信した他の携帯端末の端末識別子と関連付けて登録する登録部４と、他の携帯端末の端末識別子と関連付けたアカウントを、登録要求の送信元の携帯端末に通知する通知部６とを有する。
【００１９】
図２に、携帯端末１０構成を示す。携帯端末１０は、制御部１１、操作部１２、アプリケーション格納部１３、移動体通信部１４、携帯端末間通信部１５、ＩＤ格納部１６、及び表示部１７を有する。制御部１１は、ＣＰＵやＲＡＭ等を備えており、携帯端末１０の動作を制御する。操作部１２は、ユーザによる操作を受け付ける入力インタフェースである。アプリケーション格納部１３は、制御部１１が実行可能なアプリケーションプログラムを格納する。移動体通信部１４は、移動体通信網を経由してネットワークを介して情報を送受信するための通信インタフェースである。携帯端末間通信部１５は、他の携帯端末との間でダイレクトに情報を送受信するための通信インタフェースである。携帯端末間通信部１５による通信の形態は、赤外線通信や非接触ＩＣ、Bluetoothなどを利用した非接触通信でも良いし、通信ケーブルを介した有線での通信でも良い。ＩＤ格納部１６には自端末を一意に特定可能な識別子が格納されている。表示部１７は、ユーザに情報を通知するためのユーザインタフェースであり、液晶表示装置などの情報を視覚的に表示する装置の他、スピーカなども適用可能である。
【００２０】
なお、制御部１１、アプリケーション格納部１３、及びＩＤ格納部１６は、図１における招待処理部１に相当する。また、移動体通信部１４は、図１におけるネットワーク通信部２に相当する。また、携帯端末間通信部１５は、図１における端末間通信部３に相当する。
【００２１】
図３に、認証・認可サーバ２０の構成を示す。認証・認可サーバ２０は、制御部２１、通信部２４及びＩＤ格納部２５を有する。制御部２１は、認証・認可サーバ２０の動作を制御する。また、制御部２１は、メンバー登録部２２とメンバー認証部２３とアカウント通知部２６とを備えている。メンバー登録部２２は、携帯端末１０からのメンバー登録要求を受けて、新たにメンバーとして登録する識別子をアカウントと関連付けてＩＤ格納部２５に格納する。メンバー認証部２３は、携帯端末１０からの登録要求を受けて、登録を要求してきた携帯端末が登録済みメンバーのものであるか否かを、ＩＤ格納部２５に格納されている端末識別子及びアカウントを基に判断する。また、コミュニティサービスサーバ３０からの認証要求を受けて、コミュニティサービスサーバ３０にアクセスした携帯端末が登録済みメンバーのものであるか否かを、ＩＤ格納部２５に格納されている端末識別子及びアカウントを基に判断する。通信部２４は、ネットワーク４０を介して情報を送受信するためのインタフェースである。ＩＤ格納部２５は、メンバーのアカウントとそのメンバーの携帯端末の端末識別子とを関連付けて格納する。アカウント通知部２６は、メンバー登録要求の送信元の携帯端末に対して、被招待者に割り当てられたアカウントを通知する。
【００２２】
なお、メンバー登録部２２は図１における登録部４に、メンバー認証部２３は図１における認証部５に、アカウント通知部２６は図１における通知部６に、通信部２４は図１における通信部７にそれぞれ相当する。
【００２３】
図４に、コミュニティサービスシステムにおけるメンバー登録動作の流れを示す。また、図５に、コミュニティサービスシステムにおけるメンバー登録動作のシーケンスの一例を示す。ここで携帯端末１０ａは、他のユーザを招待する権限を有する者（招待者）が所有する端末であり、その端末の識別子は認可・認証サーバ２０のＩＤ格納部２５に格納されているものとする。また、携帯端末１０ａのアプリケーション格納部１３ａには、他のユーザを招待するためのアプリケーション（招待アプリケーション）が格納されている。
【００２４】
携帯端末１０ａにおいて、アプリケーション格納部１３ａに格納されている招待アプリケーションを起動する操作が操作部１２ａを介して行われると、制御部１１ａはアプリケーション格納部１３ａから招待アプリケーションを読み出して実行する。制御部１１ａにおいて実行された招待アプリケーションは、携帯端末間通信部１５を介して端末識別子の送信を携帯端末１０ｂに要求する（図５、Ａ１）。
【００２５】
制御部１１ｂは、携帯端末間通信部１５ｂを介して端末識別子の送信要求を受信すると、ＩＤ格納部１６ｂに格納されている端末識別子（ここではＩＤ：ｂとする）を読み出し、携帯端末間通信部１５ｂを介して携帯端末１０ａへ送信する（図５、Ａ２）。図５のシーケンスＡ１及びＡ２が図４のステップＳ１０１の処理に相当する。なお、この際に制御部１１ｂが表示部１７ｂに端末識別子の送信の可否を問い合わせるメッセージを表示させるようにし、端末識別子の送信を許可するための操作が操作部１２ｂを介して行われた場合にのみ、携帯端末間通信部１５ｂを介して端末識別子を携帯端末１０ａへ送信するようにしても良い。
【００２６】
携帯端末１０ｂから端末識別子を受信すると、制御部１１ａにおいて実行されている招待アプリケーションは、ＩＤ格納部１６ａに格納されている端末識別子（ここではＩＤ：ａとする）を読み出す。そして、自端末の端末識別子（ＩＤ：ａ）と新たにメンバー登録しようとする者の携帯端末である携帯端末１０ｂから取得した端末識別子（ＩＤ：ｂ）とを、登録要求とともに移動体通信部１４を介して認証・認可サーバ２０へ送信する（図５、Ａ３）。図５のシーケンスＡ３は、図４のステップＳ１０２の処理に相当する。なお、制御部１１ａがＩＤ格納部１６ａから端末識別子ａを読み出す代わりに、アカウントの入力を要求するメッセージを表示部１７ａに表示させ、操作部１２ａを介して入力されたアカウントを登録要求とともに移動体通信部１４を介して認証・認可サーバ２０へ送信するようにすることも可能である。
【００２７】
認証・認可サーバ２０の制御部２１は、携帯端末１０ａからの登録要求を通信部２４を介して受信すると、その送信元の携帯端末の端末識別子がＩＤ格納部２５に格納されているか否かをメンバー認証部２３を用いて確認する（図５、Ａ４）。ここでは端末識別子（ＩＤ：ａ）はＩＤ格納部２５に格納されているため、制御部２１は登録済みメンバーからの登録要求であると判断する。図５のシーケンスＡ４は、図４のステップＳ１０３の処理に相当する。
【００２８】
その後、メンバー登録部２４は、携帯端末１０ａから登録を要求された端末識別子（ＩＤ：ｂ）に未使用のアカウントを割り当て、これらを関連付けてＩＤ格納部２５に格納する（図５、Ａ５）。図５のシーケンスＡ５は、図４のステップＳ１０４の処理に相当する。
【００２９】
その後、アカウント通知部２６は、端末識別子（ＩＤ：ｂ）とともに、それに割り当てたアカウントを通信部２４を介して携帯端末１０ａへ送信する（図５、Ａ６）。図５のシーケンスＡ６は、図４のステップＳ１０５の処理に相当する。
【００３０】
携帯端末１０ａが認証・認可サーバ２０から端末識別子及びアカウントを受信すると、制御部１１ａにおいて実行されている招待アプリケーションは、携帯端末間通信部１５を用いて携帯端末１０ｂと通信し、携帯端末１０ｂの端末識別子が認証・認可サーバ２０から受信した端末識別子と一致することを確認する。確認の後、招待アプリケーションは認証・認可サーバ２０から受信したアカウントを携帯端末間通信部１５を介して携帯端末１０ｂへ送信する（図５、Ａ７）。図５のシーケンスＡ７は、図４のステップＳ１０６の処理に相当する。
【００３１】
携帯端末１０ｂが携帯端末間通信部１５を介してアカウントを取得することにより、メンバー登録処理が完了する。制御部１１ｂは、コミュニティサービスシステムへのメンバー登録が完了したこと及び割り当てられたアカウントを通知するメッセージを表示部１７ｂに表示させる。これにより、ユーザＢはメンバー登録が完了したこと及び自身に割り当てられたアカウントを認識する。
【００３２】
メンバー登録が完了したことにより、携帯端末１０ｂのユーザは、認証・認可サーバ２０から通知されたアカウントを用いて、任意の情報処理端末からコミュニティサービスサーバ３０が提供するサービスを利用できる。
【００３３】
図６に、携帯端末１０ｂのユーザがコミュニティサービスサーバ３０が提供するサービスを利用する場合の動作シーケンスの一例を示す。
操作部１２ｂを介してコミュニティサービスサーバ３０が提供するサービスを利用を要求する操作及びアカウントの入力がなされると、制御部１１ｂは移動体通信部１４ｂを用いて、サービス利用要求をアカウントとともにコミュニティサービスサーバ３０へ送信する（図６、Ｂ１）。
【００３４】
サービス利用要求を受信したコミュニティサービスサーバ３０は、サービス利用要求とともに受信したアカウントを認証・認可サーバ２０へ送り認証を依頼する（図６、Ｂ２）。
【００３５】
認証・認可サーバ２０は、コミュニティサービスサーバ３０からの依頼に応じて、依頼されたアカウントがＩＤ格納部２５に格納されていることをメンバー認証部２３が確認する（図６、Ｂ３）。制御部２１は、通信部２４を用いて認証結果をコミュニティサービスサーバ３０へ送信する（図６、Ｂ４）。
【００３６】
認証・認可サーバ２０から認証結果を受信したコミュニティサービスサーバ３０は、携帯端末１０ｂに対してサービスを提供する（図６、Ｂ５）。
【００３７】
なお、ここではアカウントを利用してメンバー認証を受ける場合を例としたが、ＩＤ格納部２５には割り当てられたアカウントと関連付けて携帯端末１０ｂの端末識別子が格納されているため、携帯端末１０ｂを用いる場合には、アカウント名の代わりに端末識別子を利用してメンバー認証を受けることも可能である。
【００３８】
このように本実施形態に係るコミュニティサービスシステムは、携帯端末間の通信が可能な状況下において、招待権限を有する者は被招待者をその場でコミュニティに招待可能である。
また、メンバー登録の処理は、携帯端末のアプリケーション処理によって行われるため、招待者に対して被招待者がメールアドレスを教える必要はない。このため、コミュニティへ参加するに当たっての心理的な抵抗を軽減でき、コミュニティへの参加が促進され、コミュニティの活性化につながる。
【００３９】
〔第２の実施形態〕
本発明を好適に実施した第２の実施形態について説明する。本実施形態に係るコミュニティサービスシステムは、第１の実施形態と同様に、携帯端末１０ａ及び１０ｂ、認証・認可サーバ２０、並びにコミュニティサービスサーバ３０がネットワーク４０を介して接続された構成である。また、携帯端末１０、認証・認可サーバ２０の内部の構成は第１の実施形態と同様である。
【００４０】
図７に、本実施形態に係るコミュニティサービスシステムにおけるメンバー登録動作の流れを示す。メンバー登録動作の流れは第１の実施形態とほぼ同様であるが、本実施形態においては、アカウント通知部２６は、被招待者に割り当てられたアカウントを被招待者の携帯端末へ送信する。すなわち、アカウントが被招待者の携帯端末に直接通知されるため、ステップＳ１０６に相当する動作を行わない。
【００４１】
図８に、本実施形態に係るコミュニティサービスシステムにおけるメンバー登録動作のシーケンスの一例を示す。
【００４２】
携帯端末１０ａにおいて、アプリケーション格納部１３ａに格納されている招待アプリケーションを起動する操作が操作部１２ａを介して行われると、制御部１１ａはアプリケーション格納部１３ａから招待アプリケーションを読み出して実行する。制御部１１ａにおいて実行された招待アプリケーションは、携帯端末間通信部１５を介して端末識別子及びメールアドレスの送信を携帯端末１０ｂに要求する（図８、Ｃ１）。
【００４３】
制御部１１ｂは、携帯端末間通信部１５を介して端末識別子及びメールアドレスの送信要求を受信すると、ＩＤ格納部１６ｂに格納されている端末識別子（ここではＩＤ：ｂとする）を読み出し、自端末のメールアドレスとともに携帯端末間通信部１５を介して携帯端末１０ａへ送信する（図８、Ｃ２）。図８のシーケンスＣ１及びＣ２が図７のステップＳ２０１の処理に相当する。なお、この際に制御部１１ｂが表示部１７ｂに端末識別子及びメールアドレスの送信の可否を問い合わせるメッセージを表示させるようにし、端末識別子の送信を許可するための操作が操作部１２ｂを介して行われた場合にのみ、携帯端末間通信部１５ｂを介して端末識別子及びメールアドレスを携帯端末１０ａへ送信するようにしても良い。
【００４４】
携帯端末１０ｂから端末識別子及びメールアドレスを受信すると、制御部１１ａにおいて実行されている招待アプリケーションは、ＩＤ格納部１６ａに格納されている端末識別子（ここではＩＤ：ａとする）を読み出す。そして、自端末の端末識別子（ＩＤ：ａ）と新たにメンバー登録しようとする者の携帯端末である携帯端末１０ｂから取得した端末識別子（ＩＤ：ｂ）と、携帯端末１０ｂのメールアドレスとを、登録要求とともに移動体通信部１４を介して認証・認可サーバ２０へ送信する（図８、Ｃ３）。図８のシーケンスＣ３は、図７のステップＳ２０２の処理に相当する。なお、制御部１１ａがＩＤ格納部１６ａから端末識別子ａを読み出す代わりに、アカウントの入力を要求するメッセージを表示部１７ａに表示させ、操作部１２ａを介して入力されたアカウントを登録要求とともに移動体通信部１４を介して認証・認可サーバ２０へ送信するようにすることも可能である。
【００４５】
認証・認可サーバ２０の制御部２１は、携帯端末１０ａからの登録要求を通信部２４を介して受信すると、その送信元の携帯端末の端末識別子がＩＤ格納部２５に格納されているか否かをメンバー認証部２３を用いて確認する（図８、Ｃ４）。ここでは端末識別子（ＩＤ：ａ）はＩＤ格納部２５に格納されているため、制御部２１は登録済みメンバーからの登録要求であると判断する。図８のシーケンスＣ４は、図７のステップＳ２０３の処理に相当する。
【００４６】
その後、メンバー登録部２４は、携帯端末１０ａから登録を要求された端末識別子（ＩＤ：ｂ）に未使用のアカウントを割り当て、これらを関連付けてＩＤ格納部２５に格納する（図８、Ｃ５）。図８のシーケンスＣ５は、図７のステップＳ２０４の処理に相当する。
【００４７】
その後、アカウント通知部２６は、端末識別子（ＩＤ：ｂ）に割り当てたアカウントを通信部２４を介して携帯端末１０ｂのメールアドレス宛に送信する（図８、Ｃ６）。図８のシーケンスＣ６は、図７のステップＳ２０５の処理に相当する。
このメールを携帯端末１０ｂが受信することにより、メンバー登録の処理が完了する。制御部１１ｂは、コミュニティサービスシステムへのメンバー登録が完了したこと及び割り当てられたアカウントを通知するメッセージを表示部１７ｂに表示させる。これにより、ユーザＢはメンバー登録が完了したこと及び自身に割り当てられたアカウントを認識する。
【００４８】
メンバー登録を終えた後で、携帯端末１０ｂからコミュニティサービスを利用する手順は、第１の実施形態と同様であるため、重複する説明は割愛する。
【００４９】
このように、本実施形態に係るコミュニティサービスシステムでは、被招待者に割り当てたアカウントが、その者の携帯端末に直接通知されるため、被招待者は招待者からアカウントを受け取る必要がない。よって、招待者及び被招待者ともに、メンバー登録処理における労力を軽減できる。
しかも、被招待者のメールアドレスは、招待者の携帯端末がアプリケーションによって被招待者の携帯端末から取得できれば良く、招待者自身が知る必要はない。このため、コミュニティへ参加するに当たっての心理的な抵抗を軽減でき、コミュニティへの参加が促進され、コミュニティの活性化につながる。
【００５０】
〔第３の実施形態〕
本発明を好適に実施した第３の実施形態について説明する。本実施形態に係るコミュニティサービスシステムは、第１の実施形態と同様に、携帯端末１０ａ及び１０ｂ、認証・認可サーバ２０、並びにコミュニティサービスサーバ３０がネットワーク４０を介して接続された構成である。また、携帯端末１０、認証・認可サーバ２０の内部の構成は第１の実施形態と同様である。
【００５１】
本実施形態においては、招待権限を有するメンバーと招待権限を有さないメンバーとが存在しており、権限の有無を示す情報がアカウント及び端末識別子と関連付けられている。ステップＳ１０３に該当する処理時には、登録要求の送信元の携帯端末の端末識別子又はアカウントがＩＤ格納部２５に格納されているか否かではなく、その端末識別子又はアカウントに関連付けられている権限の有無を示す情報に基づいて、招待権限の有無を判断する。
【００５２】
図９に、ＩＤ格納部２５に格納されているアカウントと端末識別子とを関連付けた情報の一例を示す。
【００５３】
メンバーに招待権限を与える方法としては任意の方法を適用可能である。例えば、コミュニティの開設者がコミュニティ上の機能を利用して招待権限を与えられるようにしてもよいし、被招待者を招待する際に、その者に招待権限を与えるか否かを選択できるようにしても良い。また、コミュニティの開設者から直接招待を受けた者には招待権限が与えられ、他のメンバーから招待を受けた者には招待権限が与えられないようにしても良い。
【００５４】
本実施形態において、メンバー登録部２２は、招待権限を有するユーザの携帯端末から登録を要求された端末識別子に未使用のアカウントを割り当てる際に、招待権限の有無を示す情報をＩＤ格納部２５に格納する。これにより、コミュニティのメンバーは招待権限を持つ者が招待した者に限定されるため、身元が不詳の者がメンバーとして登録されることを防ぐことができる。
【００５５】
また、図１０に示すように、招待可能な人数を招待権限として設定することも可能である。これにより、特定のメンバーの知人がメンバーの大半を占めて、コミュニティが私物化されることを防ぐことができる。
【００５６】
招待権限が存在すること以外、例えば、メンバー登録のシーケンスに関しては、上記第１の実施形態と同様であるので重複する説明は割愛する。なお、第２の実施形態と同様の動作とすることも可能であることは言うまでもない。
【００５７】
なお、上記各実施形態は本発明の好適な実施の一例であり、本発明はこれらに限定されることはない。
例えば、上記各実施形態においては、携帯端末が２台の構成を例として示しているが、携帯端末が３台以上であっても良いことはいうまでもない。
このように、本発明は様々な変形が可能である。
【図面の簡単な説明】
【００５８】
【図１】本発明の好適な実施の形態に係るコミュニティサービスシステムの構成を示す図である。
【図２】本発明の好適な実施の形態に係る携帯端末の構成を示す図である。
【図３】本発明の好適な実施の形態に係る認証・認可サーバの構成を示す図である。
【図４】本発明を好適に実施した第１の実施形態に係るコミュニティサービスシステムのメンバー登録動作の流れを示す図である。
【図５】第１の実施形態に係るコミュニティサービスシステムにおけるメンバー登録動作のシーケンスの一例を示す図である。
【図６】携帯端末のユーザがコミュニティサービスサーバが提供するサービスを利用する場合の動作シーケンスの一例を示す図である。
【図７】本発明を好適に実施した第２の実施形態に係るコミュニティサービスシステムにおけるメンバー登録動作の流れを示す図である。
【図８】第２の実施形態に係るコミュニティサービスシステムにおけるメンバー登録動作のシーケンスの一例を示す図である。
【図９】ＩＤ格納部に格納されているアカウントと端末識別子とを関連付けた情報の一例を示す図である。
【図１０】招待可能な人数を招待権限として設定する場合に、ＩＤ格納部に格納される情報の一例を示す図である。
【図１１】本発明に関連するコミュニティサービスシステムにおけるメンバー登録時の動作の一例を示す図である。
【符号の説明】
【００５９】
１    招待処理部
２    ネットワーク通信部
３    端末間通信部
４    登録部
５    認証部
６    通知部
７、２４    通信部
１０    携帯端末
１１、２１    制御部
１２    操作部
１３    アプリケーション格納部
１４    移動体通信部
１５    携帯端末間通信部
１６    ＩＤ格納部
１７    表示部
２０    認証・認可サーバ
２２    メンバー登録部
２３    メンバー認証部
２５    ＩＤ格納部
２６    アカウント通知部
３０    アプリケーションサービスサーバ
４０    ネットワーク
【図１】
2010146452.tif 000003
【図２】
2010146452.tif 000004
【図３】
2010146452.tif 000005
【図４】
2010146452.tif 000006
【図５】
2010146452.tif 000007
【図６】
2010146452.tif 000008
【図７】
2010146452.tif 000009
【図８】
2010146452.tif 000010
【図９】
2010146452.tif 000011
【図１０】
2010146452.tif 000012
【図１１】
2010146452.tif 000013